(57)【要約】  基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおいて、マルチキャストサービス配信装置から受信されたセッション開始要求に、動的サービスエリア構成識別子が含まれている場合には、移動局装置が在圏する基地局装置が配置されたセルを動的なサービスエリアと判定し、当該サービスエリアに含まれる基地局装置に、セッションスタート要求を送信する。これにより、移動端末の在圏する基地局に限定してマルチキャストデータを配信することとなり、無駄なリソースを使用せずに効率的な通信を行うことが出来る移動通信システム等を提供することができる。
2011083704.tif 000002
【特許請求の範囲】
【請求項１】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムに、当該移動局装置を管理するために接続されるモビリティ管理装置であって、
前記移動局装置と、当該移動局装置が在圏する基地局装置とを対応づけて管理する端末管理手段と、
前記マルチキャストサービス配信装置から、マルチキャストのセッション開始要求を受信する開始要求受信手段と、
前記セッション開始要求に、動的サービスエリア構成識別子が含まれている場合には、前記端末管理手段から、前記移動局装置が在圏する基地局装置が配置されたセルを動的なサービスエリアと判定するサービスエリア判定手段と、
前記サービスエリア判定手段により判定されたサービスエリアに含まれる基地局装置に、セッションスタート要求を送信する第１セッションスタート要求送信手段と、
を備えることを特徴とするモビリティ管理装置。
【請求項２】
前記移動局装置からマルチキャストグループへの参加要求を受信する参加要求受信手段を更に備え、
前記端末管理手段は、前記マルチキャストグループの識別子と、前記移動局装置と、当該移動局装置が在圏する基地局装置とを対応づけて管理し、
前記サービスエリア判定手段は、前記セッション開始要求に、動的サービスエリア構成識別子が含まれている場合には、前記端末管理手段から、前記セッション開始要求に対応するマルチキャストグループに対応づけられた基地局装置が配置されたセルを動的なサービスエリアと判定することを特徴とするモビリティ管理装置。
【請求項３】
前記基地局装置を管理し、基地局装置間を調整する基地局調整装置が移動通信システムに更に接続されており、
前記第１セッションスタート要求送信手段は、前記サービスエリア判定手段により判定されたサービスエリアに含まれる基地局装置を管理する基地局調整装置に、当該基地局装置に関する情報を含めてセッションスタート要求を送信することを特徴とする請求項１又は２に記載のモビリティ管理装置。
【請求項４】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムに接続されるマルチキャストサービス配信装置であって、
マルチキャストセッション開始時に、前記移動局装置を管理するために接続されるモビリティ管理装置に対してセッションスタート要求を送信する第２セッションスタート要求送信手段を備え、
前記第２セッションスタート要求送信手段は、前記モビリティ管理装置に対し、前記移動局が在圏するセルに配置された基地局装置をサービスエリアとして動的に構成させたい場合には、前記セッションスタート要求に動的サービスエリア構成識別子を含めることを特徴とするマルチキャストサービス配信装置。
【請求項５】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおいて、
前記サービスエリアとは別に、前記移動局装置が在圏する基地局装置が配置されたセルをサービスエリアとして動的に構成することを特徴とする移動通信システム。
【請求項６】
前記移動通信システムは、移動局装置を管理するモビリティ管理装置を含んでおり、
前記モビリティ管理装置は、前記移動局装置とともに、当該移動局装置が在圏する基地局装置を管理し、前記マルチキャストサービス配信装置から、動的にサービスエリアを構成すると指示を受けた場合には、前記移動局装置が在圏する基地局装置を選択し、当該基地局装置と通信路を設定することを特徴とする請求項５に記載の移動通信システム。
【請求項７】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供し、更に当該移動局装置を管理するために接続されるモビリティ管理装置が接続される移動通信システムにおいて、
前記モビリティ管理装置は、
前記移動局装置と、当該移動局装置が在圏する基地局装置とを対応づけて管理する端末管理手段と、
前記マルチキャストサービス配信装置から、マルチキャストのセッション開始要求を受信する開始要求受信手段と、
前記セッション開始要求に、動的サービスエリア構成識別子が含まれている場合には、前記端末管理手段から、前記移動局装置が在圏する基地局装置が配置されたセルを動的なサービスエリアと判定するサービスエリア判定手段と、
前記サービスエリア判定手段により判定されたサービスエリアに含まれる基地局装置に、セッションスタート要求を送信する第１セッションスタート要求送信手段と、
を備えることを特徴とする移動通信システム。
【請求項８】
請求項５から７の何れか一項に記載の移動通信システムに接続される移動局装置であって、
前記基地局装置とマルチキャストベアラを設定するマルチキャストベアラ設定手段と、
前記マルチキャストベアラを用いて、前記マルチキャストサービス配信装置から、マルチキャストデータを受信するマルチキャストデータ受信手段と、
を備えることを特徴とする移動局装置。
【請求項９】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおける移動通信方法であって、
前記移動局装置が在圏する基地局装置が配置されたセルをサービスエリアとして動的に構成することを特徴とする移動通信方法。
【請求項１０】
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおける移動通信方法であって、
前記移動局装置と、当該移動局装置が在圏する基地局装置とを対応づけて管理するステップと、
前記マルチキャストサービス配信装置から、マルチキャストのセッション開始要求を受信するステップと、
前記セッション開始要求に、動的サービスエリア構成識別子が含まれている場合には、前記端末管理手段から、前記移動局装置が在圏する基地局装置が配置されたセルを動的なサービスエリアと判定するステップと、
前記判定されたサービスエリアに含まれる基地局装置に、セッションスタート要求を送信ステップと、
を含むことを特徴とする移動通信方法。
【発明の詳細な説明】
【技術分野】
【０００１】
本発明は、移動通信システム等に関する。
【背景技術】
【０００２】
３ＧＰＰにて、ＥＰＳ（Evolved Packet System）によるマルチキャストサービス提供方法としてＭＢＭＳ（Multimedia Broadcast/Multicast Service）の規格化が進んでいる。【０００３】
例えば、非特許文献１によれば、ＭＢＭＳサービスエリアはあるＭＢＭＳセッションを行う範囲として定義される。例えば全国や関東等の地域単位でサービスエリアを設定し、当該サービスエリア内の複数のセルによって構成される。そして、ＥＰＳを構成するＥＰＣ（Evolved Packet Core）内と、ＥＰＣに接続するＥ−ＵＴＲＡＮやＵＴＲＡＮ等の無線アクセスネットワーク内とにマルチキャストデータの配信経路（以下、マルチキャスト配信経路と呼ぶ）を設定し、サービスエリア内の各セルの基地局（Ｅ−ＵＴＲＡＮにおけるｅＮｏｄｅＢ）や、無線ネットワーク制御局（ＵＴＲＡＮにおけるＲＮＣ）が、端末（ＵＥ）にマルチキャスト用無線ベアラを設定し、マルチキャストデータを配信する。なお、ベアラとは論理的な伝送路である。【０００４】
図１８に、従来のマルチキャストデータ配信の概念図を示す。矢印はマルチキャストデータの流れを示している。コンテンツサーバーから送信されたデータは、ＧＷ１を分岐点として下位ノードであるＧＷ２、ＧＷ３に送信され、さらにサービスエリア内のセル１〜６の基地局１〜６に送信される。この時、コンテンツサーバーからＧＷを介して基地局までの間にツリー状にマルチキャスト配信経路が設定されている。また、図示はしていないがサービスエリア内のセル１〜６には端末が在圏しており、当該マルチキャストデータを受信する。【０００５】
こうした従来のマルチキャストデータ配信は、セル単位ではなく、サービスエリア（非特許文献１で定義されるＭＢＭＳサービスエリア）単位でマルチキャストデータを配信している。そのため、サービスエリア内に配信すべき端末が在圏していないセルがある場合も、当該マルチキャストデータの配信開始と共にそのセルの基地局にデータは配信される。地理的に比較的広範囲をサービスエリアとしている従来のマルチキャストサービスでは、受信端末が地理的に広範囲に分布しているため、結果としてサービスエリアを構成するセルのうち、セル内に端末が全くいない確率は相対的に低くなり、当該セルの基地局にデータを配信してしまうことはさほど問題とはならなかった。しかし、今後、マルチキャストサービスの新たな１形態として、狭い範囲のみを対象としたマルチキャストサービスも増加していくと予想される。【０００６】
狭い範囲のみを対象としたマルチキャストサービスとして、例えば、非特許文献２では、旅行のガイドツアー等のユースケースが挙げられている。また、例えばスポーツやコンサート会場、ショッピングセンター等の集客施設の客を対象としたマルチキャストサービスも考えられる。さらに、災害被災地の被災者に対してのみ情報配信を行うようなケースも考えられている。【０００７】
さらには、ユーザとして人を対象とするだけでなく、物（機械）を対象としたマルチキャストサービス（例えば工場などの機械装置や、商業施設に密集して配置される自動販売機等へのメンテナンス用情報配信、街中や電車内等の公共用インフォメーションディスプレイへの情報配信など）も考えられる。【０００８】
このようなサービスにおけるデータ配信では、従来と異なり、提供するサービスに応じて配信範囲が限定され、端末も地理的に偏在するという特徴がある。さらには、提供するサービスの場所や時間は動的に設定されるものであり、事前に定めることができない。
【先行技術文献】
【非特許文献】
【０００９】
【非特許文献１】TS 23.246、Technical Specification Group Services and Architecture; Multimedia Broadcast/Multicast Service (MBMS); Architecture and functional description
【非特許文献２】3GPP TR 22.947(Technical Specification Group Services and System Aspects; Study on Personal Broadcast Service)
【発明の概要】
【発明が解決しようとする課題】
【００１０】
上述した従来の移動通信システムでは、ＭＢＭＳサービスエリアが地理的に広範囲であることを前提としており、非特許文献２に記載されているような新しいマルチキャストサービスの形態（限定的な地理的範囲内のユーザを対象としたマルチキャストサービス）を実現する場合であっても、広範囲に設定されたＭＢＭＳサービスエリアを構成する基地局総てに対してマルチキャストデータが配信され、受信端末が在圏しないセルにもデータ配信してしまう可能性があり、無駄なリソースが増加してしまうといった問題点が生じていた。【００１１】
これを避けるため、限定的な狭いＭＢＭＳサービスエリアを個別に設定してもよいが、従来の移動通信システムでは、ＭＢＭＳサービスエリアに関する設定（例えば、当該ＭＢＭＳサービスエリアを構成する基地局リストなど）を移動通信システム内にあらかじめ静的設定しておく必要があり、上述の新たなマルチキャストサービスのような場所や時間をあらかじめ特定できないような場合に、サービス開始時に端末の在圏状況に連動して動的にセルを選択し、サービスエリアを構成することはできなかった。【００１２】
また、端末が在圏しないセルには基地局からデータを配信しないようにすることで、少なくとも無線リソースの非効率化は解決可能だが、従来技術では基地局がデータ配信するための無線リソースを設定するか否かは無線アクセスネットワークのレベルで制御しており、コアネットワーク（ＥＰＣ）内のノードは関与しないため、少なくとも基地局まではマルチキャスト配信経路が設定されてしまい、ネットワークリソースの非効率面は解決する方法がなかった。【００１３】
上述した課題に鑑み、本発明が目的とするところは、移動端末の在圏する基地局に限定してマルチキャストデータを配信することにより、無駄なリソースを使用せずに効率的な通信を行うことが出来る移動通信システム等を提供することである。
【課題を解決するための手段】
【００１４】
上述し課題を解決するために、本発明のモビリティ管理装置は、
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムに、当該移動局装置を管理するために接続されるモビリティ管理装置であって、
前記移動局装置と、当該移動局装置が在圏する基地局装置とを対応づけて管理する端末管理手段と、
前記マルチキャストサービス配信装置から、マルチキャストのセッション開始要求を受信する開始要求受信手段と、
前記セッション開始要求に、動的サービスエリア構成識別子が含まれている場合には、前記端末管理手段から、前記移動局装置が在圏する基地局装置が配置されたセルを動的なサービスエリアと判定するサービスエリア判定手段と、
前記サービスエリア判定手段により判定されたサービスエリアに含まれる基地局装置に、セッションスタート要求を送信する第１セッションスタート要求送信手段と、
を備えることを特徴とする。【００１５】
また、本発明のモビリティ管理装置は、
前記移動局装置からマルチキャストグループへの参加要求を受信する参加要求受信手段を更に備え、
前記端末管理手段は、前記マルチキャストグループの識別子と、前記移動局装置と、当該移動局装置が在圏する基地局装置とを対応づけて管理し、
前記サービスエリア判定手段は、前記セッション開始要求に、動的サービスエリア構成識別子が含まれている場合には、前記端末管理手段から、前記セッション開始要求に対応するマルチキャストグループに対応づけられた基地局装置が配置されたセルを動的なサービスエリアと判定することを特徴とする。【００１６】
また、本発明のモビリティ管理装置において、前記基地局装置を管理し、基地局装置間を調整する基地局調整装置が移動通信システムに更に接続されており、
前記第１セッションスタート要求送信手段は、前記サービスエリア判定手段により判定されたサービスエリアに含まれる基地局装置を管理する基地局調整装置に、当該基地局装置に関する情報を含めてセッションスタート要求を送信することを特徴とする。【００１７】
本発明のマルチキャストサービス配信装置は、基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムに接続されるマルチキャストサービス配信装置であって、
マルチキャストセッション開始時に、前記移動局装置を管理するために接続されるモビリティ管理装置に対してセッションスタート要求を送信する第２セッションスタート要求送信手段を備え、
前記第２セッションスタート要求送信手段は、前記モビリティ管理装置に対し、前記移動局が在圏するセルに配置された基地局装置をサービスエリアとして動的に構成させたい場合には、前記セッションスタート要求に動的サービスエリア構成識別子を含めることを特徴とする。【００１８】
本発明の移動通信システムは、
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおいて、
前記移動局装置が在圏する基地局装置が配置されたセルをサービスエリアとして動的に構成することを特徴とする。【００１９】
本発明の移動通信システムは、移動局装置を管理するモビリティ管理装置を含んでおり、
前記モビリティ管理装置は、前記移動局装置とともに、当該移動局装置が在圏する基地局装置を管理し、前記マルチキャストサービス配信装置から、動的なサービスエリアを構成すると指示を受けた場合には、前記移動局装置が在圏する基地局装置を選択し、当該基地局装置と通信路を設定することを特徴とする。【００２０】
本発明の移動通信システムは、
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供し、更に当該移動局装置を管理するために接続されるモビリティ管理装置が接続される移動通信システムであって、
前記モビリティ管理装置は、
前記移動局装置と、当該移動局装置が在圏する基地局装置とを対応づけて管理する端末管理手段と、
前記マルチキャストサービス配信装置から、マルチキャストのセッション開始要求を受信する開始要求受信手段と、
前記セッション開始要求に、動的サービスエリア構成識別子が含まれている場合には、前記端末管理手段から、前記移動局装置が在圏する基地局装置が配置されたセルを動的なサービスエリアと判定するサービスエリア判定手段と、
前記サービスエリア判定手段により判定されたサービスエリアに含まれる基地局装置に、セッションスタート要求を送信する第１セッションスタート要求送信手段と、
を備えることを特徴とする。【００２１】
本発明の移動局装置は、上述した移動通信システムに接続される移動局装置であって、
前記基地局装置とマルチキャストベアラを設定するマルチキャストベアラ設定手段と、
前記マルチキャストベアラを用いて、前記マルチキャストサービス配信装置から、マルチキャストデータを受信するマルチキャストデータ受信手段と、
を備えることを特徴とする。【００２２】
本発明の移動通信方法は、
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおける移動通信方法であって、
前記移動局装置が在圏する基地局装置が配置されたセルをサービスエリアとして動的に構成することを特徴とする。【００２３】
本発明の移動通信方法は、
基地局装置が配置された複数のセルからサービスエリアが構成されており、マルチキャストサービス配信装置から、前記サービスエリアの基地局装置にマルチキャストデータを送信することにより、当該サービスエリアに在圏する移動局装置にマルチキャストサービスを提供する移動通信システムにおける移動通信方法であって、
前記移動局装置と、当該移動局装置が在圏する基地局装置とを対応づけて管理するステップと、
前記マルチキャストサービス配信装置から、マルチキャストのセッション開始要求を受信するステップと、
前記セッション開始要求に、動的サービスエリア構成識別子が含まれている場合には、前記端末管理手段から、前記移動局装置が在圏する基地局装置が配置されたセルを動的なサービスエリアと判定するステップと、
前記判定されたサービスエリアに含まれる基地局装置に、セッションスタート要求を送信ステップと、
を含むことを特徴とする。
【発明の効果】
【００２４】
以上、従来のマルチキャストデータの配信先セルは、モビリティ管理装置では選択せず、モビリティ管理装置が管理する移動通信システム内の基地局装置総てに対してマルチキャスト配信経路を設定していたが、本発明によりモビリティ管理装置は移動局装置の在圏セルに応じて配信先の基地局装置を動的に選択するので、選択された基地局装置のみが配信経路に参加し、余分な配信経路を設定しなくて済み、ネットワークリソース及び無線リソースの効率化につながる。【００２５】
同様に、従来はモビリティ管理装置が管理している移動通信システム内のすべての基地局装置にセッションスタート要求を送信する必要があったが、本発明によればセッションスタート要求メッセージをすべての基地局装置に配信しなくて済むため、シグナリングトラフィックを少なく抑えることができる。【００２６】
また、本発明のマルチキャストサービス配信装置及びモビリティ管理装置が管理する移動局装置に関する情報は、従来からのアタッチ又は位置登録のフェーズ、及びマルチキャストグループに参加するフェーズで移動局装置から通知される情報を活用すればよく、移動局装置に新たな情報を通知させるなどの処理負荷を追加することなくマルチキャストサービスを提供することができる。
【図面の簡単な説明】
【００２７】
【図１】第１実施形態における移動通信システム全体を示す図である。
【図２】第１実施形態におけるＢＭ−ＳＣの機能構成を説明するための図である。
【図３】第１実施形態におけるＭＭＥの機能構成を説明するための図である。
【図４】第１実施形態における位置管理情報のデータ構成の一例を示す図である。
【図５】第１実施形態において、受信されるデータの一例を説明するための図である。
【図６】第１実施形態におけるＵＥ管理情報のデータ構成の一例を示す図である。
【図７】第１実施形態におけるＭＭＥの処理を説明するための動作フローである。
【図８】第１実施形態における移動通信システム全体の処理を説明するためのシーケンス図である。
【図９】第１実施形態における移動通信システム全体の処理を説明するためのシーケンス図である。
【図１０】第１実施形態における移動通信システム全体の処理を説明するためのシーケンス図である。
【図１１】第２実施形態における移動通信システム全体を示す図である。
【図１２】第２実施形態におけるＭＭＥの処理を説明するための動作フローである。
【図１３】第２実施形態における移動通信システム全体の処理を説明するためのシーケンス図である。
【図１４】第３実施形態における移動通信システム全体を示す図である。
【図１５】第３実施形態におけるＭＭＥの処理を説明するための動作フローである。
【図１６】第３実施形態における移動通信システム全体の処理を説明するためのシーケンス図である。
【図１７】変形例におけるＵＥ管理情報の異なるデータ構成の一例を示す図である。
【図１８】従来の移動通信システムについて説明するための図である。
【発明を実施するための形態】
【００２８】
以下、本発明を適用した場合における移動通信システムの実施形態について、図面を参照して説明する。なお、以下の説明においては、上述した背景技術等において知られている装置については詳細な説明を省略し、本発明の特徴となる部分を中心に説明するものとする。
【００２９】
［１．第１実施形態］
まず、第１実施形態について説明する。
【００３０】
［１．１  システム構成］
図１は、第１実施形態における本発明を適用した移動通信システム１のシステム構成を説明する図であり、ＢＭ−ＳＣ１０（Broadcast-Multicast Service Centre）と、ＭＢＭＳ−ＧＷ２０と、ＭＭＥ３０とを含むコアネットワークと、ｅＮＢ４０（ｅＮＢ４０ａ、ｅＮＢ４０ｂ、ｅＮＢ４０ｃ）とを含む無線アクセスネットワークと、ＵＥ５０（ＵＥ５０ａ、ＵＥ５０ｂ、ＵＥ５０ｃ、ＵＥ５０ｄ）とを含んで構成されている。
【００３１】
ＢＭ−ＳＣ１０は、マルチキャストサービスの配信を制御する装置（マルチキャストサービス配信装置）であり、コアネットワークのエッジノードであるＭＢＭＳ−ＧＷ２０と接続されている。ＭＢＭＳ−ＧＷ２０は、ｅＮＢ４０と、ｅＮＢ４０にマルチキャストベアラ設定等に関する制御をするＭＭＥ３０と接続されている。また、ＭＭＥ３０もｅＮＢ４０と接続されている。
【００３２】
ここで、ＭＭＥ３０は、移動局を管理するためのモビリティ管理装置であり、例えば位置管理や、ハンドオーバの制御等を行う。また、ｅＮＢ４０は、基地局（装置）であり、図１ではｅＮＢ４０ａ、ｅＮＢ４０ｂ及びｅＮＢ４０ｃが含まれている。また、ｅＮＢ４０の傘下には、ユーザ端末である移動局（端末）装置としてＵＥ５０が接続されている。図１では、ｅＮＢ４０ａにＵＥ５０ａ及びＵＥ５０ｂが、ｅＮＢ４０ｂにＵＥ５０ｃが、ｅＮＢ４０ｃにＵＥ５０ｄが、それぞれ接続されている。
【００３３】
［１．２  機能構成］
続いて、各装置の機能構成について説明する。なお、それぞれのノードの詳細は上述した非特許文献１に規定されているため、詳細な説明は省略し、ＢＭ−ＳＣ１０と、ＭＭＥ３０の構成概要について説明する。
【００３４】
［１．２．１  ＢＭ−ＳＣの構成］
ＢＭ−ＳＣ１０は、図２に示すように、制御部１００に、送受信部１１０と、サービスエリア選択部１２０と、セッション制御部１３０と、記憶部１４０と、サービスアナウンスメント機能部１５０と、マルチキャストグループメンバーシップ管理部１６０と、データ配信プロキシ部１７０とがバスを介して接続されている。
【００３５】
制御部１００は、ＢＭ−ＳＣ１０の動作を制御する機能部であり、例えばＣＰＵ等により構成されている。制御部１００は、記憶部１４０に記憶されている各種プログラムを読み出して実行することにより、各種機能を実現することとなる。
【００３６】
送受信部１１０は、他のノードや端末からデータを送受信するための機能部であり、通信を制御するための機能部である。制御部１００により、送受信部１１０により受信されたデータは各機能部に送信され、また、各機能部から送信されるデータは、送受信部１１０を介して他のノードや端末に送信される。
【００３７】
サービスエリア選択部１２０は、ひとつまたは複数のあらかじめ固定的に決められたＭＢＭＳサービスエリアの情報を保持し、マルチキャストセッションを開始するときに、いずれのＭＢＭＳサービスエリアに配信するかを選択し、サービスエリア識別子（ＳＡＩ）によって下位ノードにＭＢＭＳサービスエリアを識別させるための機能部である。
【００３８】
どのＭＢＭＳサービスエリアにデータを配信するかは、コンテンツプロバイダーが配信したい地域等をサービスエリア選択部１２０に指定可能である。例えば、移動体通信事業者が提供するネットワークの全カバー範囲に配信することをコンテンツプロバイダーが指定すると、サービスエリア選択部１２０は、ＳＡＩ−０（全ネットワークを意味）を選択して下位ノードに通知する。
【００３９】
ＳＡＩは無線アクセスネットワークのｅＮＢ４０等においてセルの集合を示す識別子として解釈され、どのセルがＭＢＭＳサービスエリアに含まれるかが識別される。また、本実施形態では、マルチキャスト配信先セルを動的に選択、即ちサービスエリアを動的に構成したい場合に、ＢＭ−ＳＣ１０がそれを指示し、下位ノードにそれを識別させるための手段を用意し、サービスエリア選択部１２０が選択可能とする。なお、以下、マルチキャスト配信先セルを動的に選択して構成するサービスエリアを、固定的なＭＢＭＳサービスエリアと区別する意味で、便宜的に「動的サービスエリア」と呼ぶ。
【００４０】
この手段としては、固定的なＭＢＭＳサービスエリアを示すＳＡＩとは別の識別子（以下、「動的サービスエリア構成識別子」と記載）とすることもできるし、あるＳＡＩ自体を動的サービスエリアの構成を下位ノードが判断するための意味合いを持たせた特別のＳＡＩとしても良い（例えばＳＡＩ−０の場合はネットワークがカバーする全域を示し、ＳＡＩ−ｎの場合は動的サービスエリアを構成することを意味する）。
【００４１】
また、サービスエリア選択部１２０がＳＡＩをあえて下位ノードに指定しないことで、下位ノードが動的サービスエリアを構成することを解釈するように構成してもよい。いずれの方法を用いても、サービスエリア選択部１２０により、いずれかの方法を用いて動的サービスエリアの構成の指示が行われる。
【００４２】
なお、ＢＭ−ＳＣ１０はコンテンツに関する属性情報（開始時刻、終了時刻、ジャンル等）とＩＰマルチキャストアドレスを対応付けて管理しており、同様に動的サービスエリアを用いるか、ＭＢＭＳサービスエリアを用いるかの情報もＩＰマルチキャストアドレスと対応付けて管理する。ＢＭ−ＳＣ１０がいずれのサービスエリアを選択するかは、マルチキャストサービスのセッション（以下、マルチキャストセッションと記載）を開始する前にコンテンツプロバイダーから取得した情報を基にしても良いし、コンテンツに関する属性情報から判断してもよい。
【００４３】
セッション制御部１３０は、マルチキャストセッションを制御するための機能部である。セッション制御部１３０は、あるひとつのマルチキャストセッションに参加する複数のＵＥ５０のマルチキャストグループ毎に、ユニークな識別子（ＴＭＧＩ：Temporary Mobile Group Identity）を割り当てる。
【００４４】
記憶部１４０は、ＢＭ−ＳＣ１０が動作するために必要な各種プログラムや、データ等を記憶するための機能部である。制御部１００や、他の機能部は、必要に応じて記憶部１４０からプログラム、データを読み出して処理を実行することにより、各機能を実現することとなる。なお、記憶部１４０は、例えばＥＥＰＲＯＭやＤＲＡＭといった半導体メモリや、ＨＤＤ等の磁気ディスクといった記憶装置により構成されている。
【００４５】
サービスアナウンスメント機能部１５０は、ユーザのもつＵＥ５０に、サービスに関する情報（開始時刻、終了時刻、コンテンツの説明など）をアナウンスするための機能部である。
【００４６】
マルチキャストグループメンバーシップ管理部１６０は、受信を希望したＵＥ５０のマルチキャストグループへの参加を許可し、マルチキャストグループとして管理するための機能部である。また、データ配信プロキシ部１７０は、データを下位ノードに配信する場合に利用される機能部である。
【００４７】
［１．２．２  ＭＭＥの構成］
続いて、ＭＭＥ３０の構成について図３を用いて説明する。ＭＭＥ３０は、制御部３００に、送受信部３１０と、ＵＥ位置管理部３２０と、アタッチ／位置登録受信部３３０と、記憶部３４０と、マルチキャスト制御信号受信部３５０と、マルチキャストベアラ設定指示送信部３６０と、動的サービスエリア構成判定部３７０と、マルチキャストＵＥ管理部３８０とが接続されている。
【００４８】
制御部３００は、ＭＭＥ３０の動作を制御する機能部であり、例えばＣＰＵ等により構成されている。制御部３００は、記憶部３４０に記憶されている各種プログラムを読み出して実行することにより、各種機能を実現することとなる。
【００４９】
送受信部３１０は、他のノードや端末からデータを送受信するための機能部であり、通信を制御するための機能部である。制御部３００により、送受信部３１０により受信されたデータは各機能部に送信され、また、各機能部から送信されるデータは、送受信部３１０を介して他のノードや端末に送信される。
【００５０】
ＵＥ位置管理部３２０は、セルに在圏しアタッチ又は位置登録を行なったＵＥ５０の識別子を、セル識別子と共に後述する位置管理情報３４４に記憶する機能部である。また、アタッチ／位置登録受信部３３０は、ＵＥ５０からアタッチ又は位置登録の制御信号を受信する機能部である。
【００５１】
記憶部３４０は、ＭＭＥ３０が動作するために必要な各種プログラムや、データ等を記憶するための機能部である。制御部３００や、他の機能部は、必要に応じて記憶部３４０からプログラム、データを読み出して処理を実行することにより、各機能を実現することとなる。なお、記憶部３４０は、例えばＥＥＰＲＯＭやＤＲＡＭといった半導体メモリや、ＨＤＤ等の磁気ディスクといった記憶装置により構成されている。
【００５２】
また、記憶部３４０は、ｅＮＢ情報３４２と、位置管理情報３４４と、ＵＥ管理情報３４６とを記憶している。
【００５３】
ｅＮＢ情報３４２は、自局に接続するｅＮＢ４０の識別子やアドレスと、それぞれのｅＮＢ４０がカバーするセルの識別子との情報である。
【００５４】
位置管理情報３４４は、ＵＥ位置管理部３２０によりＵＥ５０の位置を管理するための情報である。ＵＥ５０はセルに在圏したときＭＭＥ３０にアタッチ信号又は位置登録信号を送信するが、そのときにＵＥ５０の識別子であるＩＭＳＩ（International Mobile Subscriber Identity）と、ＵＥ５０が在圏するセルのセル識別子（Ｃｅｌｌ  ＩＤ）とを位置登録信号に含めてＭＭＥ３０に送信する。この、ＵＥ識別子（例えば「ＩＭＳＩ−１」）と、セル識別子（例えば「Ｃｅｌｌ  ＩＤ−１」）とが対応づけられた情報である。この場合のデータ構成の一例を図４に示す。
【００５５】
図４の例では、ＵＥ５０ａは「ＩＭＳＩ−１」の識別子を有し、「Ｃｅｌｌ  ＩＤ−１」として識別されるセルに在圏するものとして情報が構成される。同様に、アタッチ又は位置登録を行なったＵＥ５０ｂ（ＩＭＳＩ−２）も、ＵＥ５０ａと同じセル「Ｃｅｌｌ  ＩＤ−１」に在圏するものとして情報が構成されており、ＵＥ５０ｃ（ＩＭＳＩ−３）は「Ｃｅｌｌ  ＩＤ−２」のセルに在圏するものとして情報が構成されている。
【００５６】
なお、このアタッチ又は位置登録に基づいて記憶される位置管理情報３４４は、マルチキャストを行う場合に限らず、ＵＥ５０がセルに在圏したとき定常的に更新される情報である。
【００５７】
ＵＥ管理情報３４６は、マルチキャストＵＥ管理部３８０により管理される情報である。詳細については、後述する。
【００５８】
また、ＭＭＥ３０のマルチキャストサービスに関する制御部として、マルチキャスト制御信号受信部３５０と、マルチキャストベアラ設定指示送信部３６０を有している。
【００５９】
マルチキャスト制御信号受信部３５０は、上位ノードであるＭＢＭＳ−ＧＷ２０からマルチキャストベアラ設定に関する制御信号を受信すると、記憶部にＭＭＥ３０の管理下にあるｅＮＢ４０の識別子、アドレス等を問い合わせるための機能部である。
【００６０】
マルチキャストベアラ設定指示送信部３６０は、ｅＮＢ４０の識別子、アドレスを基にｅＮＢ４０にマルチキャストベアラの設定や開放を指示するための機能部である。
【００６１】
動的サービスエリア構成判定部３７０は、あるマルチキャストセッションについて、固定的なＭＢＭＳサービスエリアに配信経路を設定するのではなく、動的サービスエリアを構成することを判定するための機能部である。
【００６２】
図５に、あるマルチキャストセッションを開始する際にＭＭＥ３０が上位ノードから受信するセッションスタート要求メッセージに含まれる情報を示す。セッションスタート要求メッセージには通常、ＩＰマルチキャストアドレスと、マルチキャストグループ識別子ＴＭＧＩと、サービスエリア識別子ＳＡＩとが含まれるメッセージフィールドがある。
【００６３】
ＳＡＩは、従来からの固定的なサービスエリアを示す識別子であり、無線アクセスネットワークのレベルでＭＢＭＳサービスエリアに含まれるｅＮＢ４０を識別するために含まれている。他方、これとは別に、動的サービスエリア構成識別子をメッセージに含めることにより、ＭＭＥ３０はサービスエリアを動的に構成するかどうかを判定可能となる。
【００６４】
動的サービスエリア構成識別子は、ＢＭ−ＳＣ１０がセッションスタート要求メッセージを送信するときにメッセージフィールドに追加する。また、このような動的サービスエリア識別子（指定子）を追加する方法の他に、ＭＭＥ３０が動的サービスエリア構成を判定可能とする方法として、前述のように従来のサービスエリア識別子ＳＡＩの一種として、動的サービスエリアを構成する意味合いを持つ特別なＳＡＩを指定することもできる。
【００６５】
例えばサービスエリア識別子がＳＡＩ−ｎの場合、動的サービスエリアを構成するものとして判定するのであれば、サービスエリア識別子のメッセージフィールドの内容をＳＡＩ−ｎとする。
【００６６】
また、さらに別の方法として、ＳＡＩをセッションスタート要求メッセージに含めないことで動的サービスエリア構成を判定するようにした場合は、ＢＭ−ＳＣ１０はメッセージ内のサービスエリア識別子のフィールドを空にして送信する。
【００６７】
マルチキャストＵＥ管理部３８０は、ＵＥ５０からのマルチキャストグループ参加要求メッセージに基づいて、マルチキャストグループに参加するＵＥ５０を管理し、更新するための機能部である。
【００６８】
ここで、マルチキャストＵＥ管理部３８０で管理するＵＥ管理情報（対応表）を図６を一例として説明する。マルチキャストグループは、各ノードにおいてＴＭＧＩで識別されている。そこでマルチキャストＵＥ管理部３８０において、例えば、「ＴＭＧＩ−１」というマルチキャストグループに、ＵＥ５０ａが参加した場合、そのＵＥ５０ａの識別子である「ＩＭＳＩ−１」を、「ＴＭＧＩ−１」と対応させたＵＥ管理情報３４６をマルチキャストＵＥ管理部３８０に記憶する。
【００６９】
また、当該ＵＥ５０ａが在圏するセルの識別子「Ｃｅｌｌ  ＩＤ−１」をさらに対応づけたＵＥ管理情報３４６としてマルチキャストＵＥ管理部３８０に記憶する。「ＴＭＧＩ−１」に参加したＵＥ５０ｂ、ＵＥ５０ｃについても、それぞれのＩＭＳＩとＣｅｌｌ  ＩＤとを対応づけたＵＥ管理情報３４６とする。ここでＵＥ管理情報３４６は、本実施形態のマルチキャスト配信方法を動作させるための情報であり、前述の位置管理情報３４４とは別に、ＵＥ５０がマルチキャストグループに参加を要求したフェーズでマルチキャストＵＥ管理部３８０が記憶する。
【００７０】
なお、上述したＢＭ−ＳＣ１０及びＭＭＥ３０の各構成において管理するＵＥ５０に関する情報は、従来通りアタッチ又は位置登録のフェーズ、及びマルチキャストグループに参加するフェーズでＵＥ５０からＢＭ−ＳＣ１０及びＭＭＥ３０に通知され、管理可能な情報であり、ＵＥ５０には従来構成からの機能的変更の必要はない。
【００７１】
［１．３  処理の流れ］
続いて、本実施形態における処理の流れについて説明する。
【００７２】
[１．３．１  ＭＭＥの処理の流れ]
まず、図７を用いて本実施形態におけるＭＭＥ３０の処理の流れ（動作）について説明する。ここでは、ＭＭＥ３０が、動的サービスエリアを判定するためには、動的サービスエリア構成識別子で判定するものとして説明する。
【００７３】
まず、ＵＥ５０のマルチキャストグループの参加設定がなされると（ステップＳ１０）、ＵＥ５０の識別子ＩＭＳＩと、在圏するセルの識別子Ｃｅｌｌ  ＩＤと、当該マルチキャストグループの識別子ＴＭＧＩとを対応付けたＵＥ管理情報３４６が記憶される（ステップＳ１２）。ここで、マルチキャストグループ参加を要求するＵＥ５０が他にも存在する場合、同様にステップＳ１２を実施する。
【００７４】
マルチキャストセッションを開始する段階になると、ＭＭＥ３０（制御部３００）は、ＢＭ−ＳＣ１０から送信されるセッションスタート要求メッセージを受信する（ステップＳ１４）。このセッションスタート要求メッセージにはＴＭＧＩが含まれている。
【００７５】
つづいて、セッションスタート要求メッセージに動的サービスエリア構成識別子が含まれているか否かにより、動的サービスエリアを構成するかを判定する（ステップＳ１６）。もし、含まれている場合、動的サービスエリアを構成することを判定し、当該マルチキャストグループのＴＭＧＩに対応付けられたＵＥ５０の在圏セルのＣｅｌｌ  ＩＤを、ＵＥ管理情報３４６から読み出し、当該セルをカバーするｅＮＢ４０を選択する（ステップＳ１６；Ｙｅｓ→ステップＳ１８）。そして、選択されたｅＮＢ４０にセッションスタート要求メッセージを送信する（ステップＳ２０）。
【００７６】
他方、ステップＳ１６でセッションスタート要求メッセージに動的サービスエリア構成識別子が含まれていない場合、動的サービスエリアを構成しないことを判定し、従来の固定的なＭＢＭＳサービスエリアを対象とするマルチキャストの動作として、セッションスタート要求メッセージをＭＭＥ３０傘下の総てのｅＮＢ４０に送信する（ステップＳ１６；Ｎｏ→ステップＳ２２）。
【００７７】
このように、ステップＳ１８以降の処理ではＭＭＥ３０が選択したｅＮＢ４０にのみセッションスタート要求メッセージが送信されるため、ＵＥ５０が在圏するセルのｅＮＢ４０のみがＩＰマルチキャスト参加処理（マルチキャストツリーに参加する処理）を行い、結果的に、必要なｅＮＢ４０のみがマルチキャスト配信経路に参加する。即ち、動的サービスエリアを構成したこととなる。
【００７８】
他方、ステップＳ１６で、動的サービスエリア構成識別子が含まれておらず動的サービスエリアを構成しないことが判定された場合には、ＵＥ５０が在圏するか否かに関わらず、あらかじめ静的に定められたＭＢＭＳサービスエリアに従って、ＭＭＥ３０傘下で当該ＭＢＭＳサービスエリアを構成する総てのｅＮＢ４０が配信経路に参加する。
【００７９】
[１．３．２  システム全体の流れ]
続いて、本実施形態における移動通信システム全体の流れについて、図８を用いて説明する。図８は、本実施形態の移動通信システム全体の動作例を説明する図であり、各矢印は各ノード間での必要な情報の流れを示し、角丸長方形はノード内部での処理を示している。
【００８０】
ＭＭＥ３０が、予めＵＥ５０からのアタッチ又は位置登録により、ＵＥ５０のＩＭＳＩ及び在圏するセルのＣｅｌｌ  ＩＤを位置管理情報３４４に記憶する。（Ｓ１００）。このとき、ＵＥ５０とＳ−ＧＷ（Serving GW）間にはデフォルトベアラが設定され、ＭＭＥ３０はデフォルトベアラのベアラＩＤを記憶する。ベアラＩＤとは、デフォルトベアラを設定したＵＥ５０ごとにユニークなＩＤであり、ＭＭＥ３０でベアラのエンドポイントとなるＵＥ５０のアドレスを識別可能である。また、Ｓ−ＧＷはコアネットワークに配置されるノードであり、ＵＥ５０のデフォルトルータとして設定されたＳ−ＧＷである。このＳ−ＧＷは、ＭＢＭＳ−ＧＷ２０と機能的に統合されていてもよいため、図１のシステム構成上はあえて図示していないが、ここではデフォルトルータとしてのＳ−ＧＷの動作とＭＢＭＳ−ＧＷ２０の動作を区別して明確とするため、あえて分けて記載する。
【００８１】
[１．３．２．１  マルチキャストグループ参加処理]
つづいて、Ｓ１０２からＳ１１４は、ＵＥ５０があるマルチキャストサービスのマルチキャストグループに参加するための動作である。事前のサービスアナウンスメントによって、ＵＥ５０は受信したいマルチキャストサービスのＩＰマルチキャストアドレスを取得しており、それを指定することで、デフォルトベアラを設定しているＳ−ＧＷにマルチキャストグループ参加要求を送信する（Ｓ１０２）。
【００８２】
つづいて、Ｓ−ＧＷは、ＢＭ−ＳＣ１０にＵＥ許可要求を送信し（Ｓ１０４）、ＢＭ−ＳＣ１０はＵＥ５０を許可すると、当該ＵＥが参加するマルチキャストグループの識別子ＴＭＧＩを、Ｓ−ＧＷへのＵＥ許可応答に含めて通知する（Ｓ１０６）。
【００８３】
つづいて、Ｓ−ＧＷはＴＭＧＩをＭＭＥ３０に通知し（Ｓ１０８）、ＭＭＥ３０はＴＭＧＩと、ＵＥ５０のＩＭＳＩと、在圏するセルのＣｅｌｌ  ＩＤとのＵＥ管理情報３４６を記憶する（Ｓ１１２）。
【００８４】
ここで、ＭＭＥ３０がＳ１００で位置管理情報３４４として記憶したＵＥ５０のＩＭＳＩとは別に、マルチキャストグループに参加したＵＥ５０のＩＭＳＩを特定するには、いくつかの方法がある。例えば、ＩＭＳＩがＳ１０２でＵＥ５０から直接通知されることにより、Ｓ１０６、Ｓ１０８でそのＩＭＳＩがＭＭＥ３０に通知されてもよいし、セキュリティ上の観点からＵＥ５０が直接ＩＭＳＩを通知せず、ＴＭＳＩ（Temporary Mobile Subscriber Identity：ＭＭＥが位置管理上テンポリーにＵＥに割り当てる識別子）等の形式でＵＥ５０から通知された場合も、ＢＭ−ＳＣ１０、Ｓ−ＧＷ、ＭＭＥ３０等のコアネットワークのノードにおいてＩＭＳＩを特定可能である。
【００８５】
また、Ｓ１０８でＳ−ＧＷから前述のベアラＩＤをＭＭＥ３０に通知することでも、ＭＭＥ３０はＩＭＳＩを特定可能である。本実施形態は、そのいずれかの方法に限定するものではなく、ＭＭＥ３０がＳ１１２のステップにおいてＩＭＳＩを特定可能であれば、その方法は問わない。このいずれかの方法によってＩＭＳＩが特定されるので、ＭＭＥ３０は先に管理している位置管理情報３４４からＣｅｌｌ  ＩＤも特定可能である。
【００８６】
なお、ＭＭＥ３０が位置管理情報３４４に基づいてＵＥ管理情報３４６で管理するＣｅｌｌ  ＩＤは、ＵＥ５０が直近でアタッチ又は位置登録したときのセルの識別子であるが、ＭＭＥ３０は当該セルのｅＮＢにＵＥ５０の在圏を問い合わせ、Ｃｅｌｌ  ＩＤを最新のものに更新するステップを追加することができる（Ｓ１１０）。ここで、ＭＭＥ３０から当該セルのｅＮＢ４０のみに問い合わせてもよいし、ＭＭＥ３０がマルチキャストサービスに限らずＵＥ５０にページングを行う目的で管理しているトラッキングエリアの範囲に属するセルの各ｅＮＢに問い合わせてもよい。
【００８７】
ＭＭＥ３０は、ＵＥ５０にマルチキャストグループ参加応答を送信する（Ｓ１１４）。ＵＥ５０への送信は、デフォルトベアラのベアラＩＤに基づいて送信される。
【００８８】
なお、ここで２台目、３台目のＵＥ５０が同じマルチキャストグループに参加する場合、同様にＳ１０２からＳ１１４の動作を２台目、３台目のＵＥ５０についても実行する。
また、ＵＥ５０のマルチキャストグループへの参加は、後述のマルチキャストセッション開始後でも可能である。
【００８９】
[１．３．２．２  マルチキャストセッション開始処理]
続いて、Ｓ１１６からＳ１２８は、マルチキャストセッションを開始する際の動作である。ＢＭ−ＳＣ１０は、ＴＭＧＩと、動的サービスエリア構成識別子とを含めたセッションスタート要求を、ＭＢＭＳ−ＧＷ２０に送信する（Ｓ１１６）。
【００９０】
ＭＢＭＳ−ＧＷ２０は、セッションスタート要求をＭＭＥ３０に送信する（Ｓ１１８）。ＭＭＥ３０はセッションスタート要求から動的サービスエリア構成識別子を読み出し、動的サービスエリアを構成することを判定する（Ｓ１２０）。そして、Ｓ１１２で記憶したＵＥ管理情報３４６を基に、当該ＴＭＧＩに対応付けられたＣｅｌｌ  ＩＤを読み出して特定し、そのセルのｅＮＢ４０を選択する（Ｓ１２２）。
【００９１】
続いて、ＭＭＥ３０は選択したｅＮＢ４０にセッションスタート要求を送信する（Ｓ１２４）。この際、セッションスタート要求メッセージに、当該マルチキャストサービスが動的サービスエリアとして構成したものであることを示す情報を含めるとよい。
【００９２】
セッションスタート要求を受信したｅＮＢ４０は、ＩＰマルチキャスト参加処理を実行する（Ｓ１２６）。そして、ｅＮＢ４０は、ＵＥ５０との間にマルチキャストベアラ設定処理を行いマルチキャストベアラを設定する（Ｓ１２８）。そしてＢＭ−ＳＣ１０からデータが送信されると、ＭＢＭＳ−ＧＷ２０、ｅＮＢ４０を介してＵＥ５０にデータが到達する。
【００９３】
なお、Ｓ１２０において、セッションスタート要求に動的サービスエリア構成識別子が含まれていない場合には、従来と同様に、ＭＭＥ３０は、下位の総てのｅＮＢ４０にセッションスタート要求を送信し、ｅＮＢ４０はＩＰマルチキャスト参加処理を実行する。個々のｅＮＢ４０の動作は、前述のＳ１２４、Ｓ１２６及びＳ１２８と同様である。
【００９４】
なお、ここまではＭＭＥ３０がＴＭＧＩを基にＵＥ５０の在圏するセルを特定する例を説明してきたが、本実施形態のＭＭＥ３０が記憶するＵＥ管理情報３４６は、ＴＭＧＩとＩＭＳＩとＣｅｌｌ  ＩＤとを対応させた情報であるため、ＴＭＧＩからだけでなく、ＩＭＳＩからＵＥ５０の在圏セルのＣｅｌｌ  ＩＤを特定することも可能である。具体的には、ＢＭ−ＳＣ１０がＳ１１６のセッションスタート要求に、マルチキャストグループに参加するＵＥ５０のＩＭＳＩを含めて送信すると、ＭＭＥ３０はＳ１２０で、当該ＩＭＳＩからＵＥ管理情報３４６を参照してＣｅｌｌ  ＩＤを特定することとなる。
【００９５】
また、図示はしていないがＢＭ−ＳＣ１０は、Ｓ１１６のセッションスタート要求に動的サービスエリア構成識別子の他にＭＢＭＳサービスエリア識別子（ＳＡＩ）も含め送信している。前述の通り動的サービスエリア構成識別子を用いる方法の他に、ＳＡＩ自体を特定のＳＡＩとする方法や、ＳＡＩをセッションスタート要求メッセージに含めない方法等でも、ＭＭＥ３０がサービスエリアを動的に構成することを判定することとしても良い。
【００９６】
[１．３．３  システム全体の流れ（ＭＢＭＳ仕様）]
続いて、図８で説明した実施形態の移動通信システムの動作を、現行のＭＢＭＳ仕様のシーケンスに適用した場合について、図９及び図１０を用いて説明する。なお、図８の各シーケンスや処理等の動作に付した番号（例えば、図８のＳ１０２の最初に付している「２」）に相当する動作は、図９及び図１０の各シーケンスや処理の前の括弧内に示している。また、ｅＮＢ４０は、ＭＢＭＳ仕様の記載に基づきＲＡＮ（無線アクセスネットワーク）と記載している。
【００９７】
なお、必ずしも図９及び図１０に示すシーケンスや処理に限られるものではなく、仕様の変更や拡張等によってシーケンスの順序や処理が変更となったり、システムの実装上、仕様とは異なるシーケンスが採用されたりしたとしても、図８の情報要素がいずれかのメッセージや処理動作に適用されていればよい。
【００９８】
具体的には、図９及び図１０は、現行のＧＰＲＳ（General Packet Radio Service）をベースとしたＭＢＭＳの処理を、ＥＰＳに適用した場合の手順を示しているが、今後の仕様拡張によって手順やメッセージ名、メッセージ構成、処理が一部変更となったとしても適用できる。また、ＥＰＳはＧＰＲＳ拡張方式と、プロキシモバイルＩＰ方式の二通りで動作することが可能であり、図９及び図１０ではプロキシモバイルＩＰ方式の場合について記述しているが、ＧＰＲＳ拡張方式にも適用可能である。
【００９９】
[１．３．３．１  マルチキャストグループ参加処理]
まず図９を用いて、ＵＥのマルチキャストグループ参加手続きを説明する。なお、ＵＥ５０はＭＭＥ３０へのアタッチ又は位置登録処理を完了し、Ｓ−ＧＷとの間で通信経路（デフォルトベアラ）を確立しているものとし、Ｓ−ＧＷはＵＥ５０のデフォルトルータとして設定されるものとする。なお、ＥＰＳがＧＰＲＳトンネリングプロトコルで動作する場合は、Ｐ−ＧＷ（PDN-GW）がデフォルトルータとして設定され、Ｓ−ＧＷはＵＥ５０とＰ−ＧＷとの間で送受信されるメッセージを中継する。
【０１００】
ＵＥ５０がＩＧＭＰ  （ＩＰｖ４）又はＭＬＤ  （ＩＰｖ６）  Ｊｏｉｎメッセージを送信すると、前記確立した通信経路を用いて、デフォルトルータであるＳ−ＧＷにメッセージが到達する（Ｓ２００）。この場合、ＵＥ５０は受信を希望するマルチキャストサービスのＩＰマルチキャストアドレスを含め送信する。
【０１０１】
なお、ＥＰＳがＧＰＲＳトンネリングプロトコルで動作する場合はＵＥのデフォルトルータはＰ−ＧＷになるため、一旦Ｐ−ＧＷにメッセージが到達した後、Ｐ−ＧＷはＳ−ＧＷに、ＵＥ５０からＩＧＭＰ又はＭＬＤ  Ｊｏｉｎメッセージを受信したことと、ＵＥ５０が受信を希望するＩＰマルチキャストアドレスとを通知する。
【０１０２】
次に、Ｓ−ＧＷはＢＭ−ＳＣ１０にＭＢＭＳ許可要求メッセージを送信する（Ｓ２０２）。
【０１０３】
ＢＭ−ＳＣ１０は、ＵＥ５０を許可すると、マルチキャストベアラを設定するＭＢＭＳ−ＧＷ２０のアクセスポイント名（ＡＰＮ）をＭＢＭＳ許可応答としてＳ−ＧＷに通知する（Ｓ２０４）。このとき、図８のＳ１０６と同様に、当該マルチキャストグループのＴＭＧＩを通知可能であれば、許可応答メッセージに含めて通知する。通知できない場合は、後述のＳ２１８又はＳ２２２で、Ｓ２０４に相当する情報を通知する。なお、ＡＰＮとはＢＭ−ＳＣ１０とのゲートウェイ（ＭＢＭＳ−ＧＷ２０）を一意に識別する識別子である。
【０１０４】
Ｓ−ＧＷは、ＩＰマルチキャストアドレスと、ＭＢＭＳ−ＧＷ２０のＡＰＮと、ベアラＩＤ等を含めたＭＢＭＳ通知要求メッセージをＭＭＥ３０に送信する（Ｓ２０６）。このとき、図８のＳ１０８と同様に、当該マルチキャストグループのＴＭＧＩを含めて通知するが、このステップでＴＭＧＩを通知できない場合は、後述のＳ２２４で送信する。
【０１０５】
ここまでの手順で、ＭＭＥ３０は、図８のＳ１１２の動作に相当するＩＭＳＩ、Ｃｅｌｌ  ＩＤ、ＴＭＧＩの情報を記憶する動作が可能となるが、ＴＭＧＩが後の手順で通知される場合は、後述のＳ２２４の後で、Ｓ１１２のステップに相当する動作を実行する。
【０１０６】
次に、ＭＭＥ３０はＳ−ＧＷにＭＢＭＳ通知応答メッセージを送信する（Ｓ２０８）。そして、ＭＭＥ３０はＵＥ５０にＭＢＭＳコンテキスト活性化開始要求メッセージを送信する（Ｓ２１０）。ＵＥ５０は、ＭＭＥ３０に対してＭＢＭＳコンテキスト活性化要求メッセージを送信する（Ｓ２１２）。この時、ＵＥ５０からＭＭＥ３０に在圏セルのＣｅｌｌ  ＩＤが通知されるのがよいが、通知されない場合は、Ｓ１１０相当のメッセージによってＣｅｌｌ  ＩＤを最新なものとする。
【０１０７】
ＭＭＥ３０はＡＰＮからＭＢＭＳ−ＧＷ２０を特定し、ＭＢＭＳ−ＧＷ２０にＭＢＭＳコンテキスト生成要求メッセージを送信する（Ｓ２１４）。
【０１０８】
ＭＢＭＳ−ＧＷ２０は、ＢＭ−ＳＣ１０にＭＢＭＳコンテキスト生成要求メッセージを送信する（Ｓ２１６）。
【０１０９】
ＢＭ−ＳＣ１０は、ＭＢＭＳ−ＧＷ２０にＭＢＭＳコンテキスト生成応答メッセージを送信する（Ｓ２１８）。また、Ｓ２０４でＴＭＧＩを送信していない場合は、ＢＭ−ＳＣ１０はこのＳ２１８でＴＭＧＩをメッセージに含めて通知する。
【０１１０】
ＭＢＭＳ−ＧＷ２０がＭＢＭＳコンテキスト生成のためのマルチキャストベアラの設定等に関する情報を持っていない場合、さらにＢＭ−ＳＣ１０にＭＢＭＳ登録要求メッセージを送信する（Ｓ２２０）。また、当該ＵＥ５０がマルチキャストグループに参加した最初のＵＥである等の理由で、まだＴＭＧＩが割り当てられていない場合は、ＢＭ−ＳＣ１０はここでＴＭＧＩを当該マルチキャストグループに割り当てて、ＭＢＭＳ−ＧＷ２０へのＭＢＭＳ登録応答メッセージ（Ｓ２２２）に含めて通知する。なお、ＭＢＭＳ−ＧＷ２０がマルチキャストベアラの設定に関する情報を持っている場合、またＴＭＧＩがすでに割り当てられて通知されている場合は、このＳ２２０、Ｓ２２２の手順は省略可能である。
【０１１１】
ＭＢＭＳ−ＧＷ２０は、ＭＢＭＳコンテキスト生成応答メッセージをＭＭＥ３０に送信する（Ｓ２２４）。なお、ここまでの手順でＴＭＧＩがＭＭＥ３０に通知されていなければ、この手順でＭＭＥ３０にＴＭＧＩが通知される。
【０１１２】
また、ここまでの手順で、図８のＳ１１２に相当する処理が実行されていない場合は、この手順の後にＭＭＥ３０はＩＭＳＩと、ＴＭＧＩと、Ｃｅｌｌ  ＩＤとのＵＥ管理情報を記憶する。
【０１１３】
ＭＭＥ３０は、ｅＮＢ４０がＵＥ５０に無線ベアラを設定している場合、ここでＭＢＭＳベアラ設定に関する情報であるＭＢＭＳコンテキストをｅＮＢ４０に通知する（Ｓ２２６）。ＭＭＥ３０は、ＵＥ５０にＭＢＭＳコンテキスト活性化応答メッセージを送信する（Ｓ２２８）。以上で、ＵＥ５０のＭＢＭＳセッションへの参加手続きを完了する。
【０１１４】
[１．３．３．２  ＭＢＭＳセッション開始処理]
続けて、図１０を用いてＭＢＭＳセッションの開始処理を説明する。
【０１１５】
ＢＭ−ＳＣ１０は、ＴＭＧＩを含むセッションスタート要求メッセージをＭＢＭＳ−ＧＷ２０に送信する（図１０のＳ２３０）。ＭＢＭＳ−ＧＷ２０は、セッションスタート応答メッセージをＢＭ−ＳＣ１０に送信する（Ｓ２３２）。
【０１１６】
ＭＢＭＳ−ＧＷ２０は、セッションスタート要求メッセージをＭＭＥ３０に送信する（Ｓ２３４）。このメッセージは、図８のＳ１１８相当のメッセージであり、当該マルチキャストグループのＴＭＧＩと、動的サービスエリア構成識別子とを含んでいる。そして、この手順の後、ＭＭＥ３０は図８のＳ１２０、Ｓ１２２に相当する処理を実行し、ｅＮＢ４０を選択する。
【０１１７】
ＭＭＥ３０は、ＲＡＮにおける選択したｅＮＢ４０にセッションスタート要求メッセージを送信する（Ｓ２３６）。この際、当該マルチキャストサービスは動的サービスエリアを構成することを示す情報を含めると良い。
【０１１８】
ＲＡＮのｅＮＢ４０は、ＭＭＥ３０にセッションスタート応答メッセージを送信し（Ｓ２３８）、ＭＭＥ３０はＭＢＭＳ−ＧＷ２０にセッションスタート応答メッセージを送信する（Ｓ２４０）。
【０１１９】
ｅＮＢ４０は、ＩＰマルチキャストジョインの処理を実行する（Ｓ２４２）。これは、図８のＳ１２６の処理に相当する。また、ｅＮＢ４０はＵＥ５０に無線リソース設定処理（マルチキャストベアラ設定処理）を実行する（Ｓ２４４）。これは、図８のＳ１２８の処理に相当する。
【０１２０】
ここまでの手順で、マルチキャストベアラが設定され、ＢＭ−ＳＣ１０からデータが送信されると、設定されたマルチキャスト配信経路に従って、ＭＢＭＳ−ＧＷ２０及びＲＡＮ（ｅＮＢ４０）を介してＵＥ５０にデータが到達する。
【０１２１】
このように、従来のマルチキャストデータの配信先セルは、ＭＭＥ３０では選択せず、ＭＭＥ３０が管理する移動通信システム内のｅＮＢ４０総てに対してマルチキャスト配信経路を設定していたが、本実施形態によれば、ＭＭＥ３０はＵＥ５０の在圏セルに応じて配信先のｅＮＢ４０を動的に選択するので、選択されたｅＮＢ４０のみが配信経路に参加し、余分な配信経路を設定しなくて済み、ネットワークリソース及び無線リソースの効率化につながる。
【０１２２】
同様に、従来はＭＭＥ３０が管理している移動通信システム内のすべてのｅＮＢ４０にセッションスタート要求を送信する必要があったが、本実施形態によればセッションスタート要求メッセージをすべてのｅＮＢ４０に配信しなくて済むため、シグナリングトラフィックを少なく抑えることができる。
【０１２３】
また、本実施形態によれば、ＭＭＥ３０は固定的なＭＢＭＳサービスエリア単位で配信するか、マルチキャストデータの配信先セルを動的に選択（即ちサービスエリアを動的に構成）するか否かを判定できるため、従来のＭＢＭＳサービスエリアを対象として配信するＭＢＭＳマルチキャストサービスの方法と共存できるように構成でき、サービスの内容やコンテンツプロバイダーの意向、移動通信事業者のポリシー等に応じて柔軟に好適な方法を選択することができる。
【０１２４】
また、本実施形態においてＢＭ−ＳＣ１０及びＭＭＥ３０が管理するＵＥ５０に関する情報は、従来通りアタッチ又は位置登録のフェーズ、及びマルチキャストグループに参加するフェーズでＵＥ５０からＢＭ−ＳＣ１０及びＭＭＥ３０に通知される情報であり、ＵＥ５０は特別に新たな情報等を追加して通知する必要はなく、マルチキャストサービスを受信可能なＵＥ５０であれば従来構成から変更することなく接続可能である。
【０１２５】
[２．第２実施形態]
続いて第２実施形態について説明する。
【０１２６】
［２．１  システム構成］
図１１は本発明の第２実施形態のシステム構成を説明する図である。本実施形態の構成では、ｅＮＢ４０（ｅＮＢ４０ａ、ｅＮＢ４０ｂ、ｅＮＢ４０ｃ）にはマルチキャストを行う際、複数のｅＮＢ間で無線リソースをコーディネーションする機能部として、ＭＣＥ（Multi-cell/multicast Coordination Entity）３５（ＭＣＥ３５ａ、ＭＣＥ３５ｂ、ＭＣＥ３５ｃ）を含んでいる。このＭＣＥ３５によって、ｅＮＢ４０は、各セルにおいて同一無線リソースを用いてマルチキャストベアラを設定することができる。
【０１２７】
この構成では、ＭＭＥ３０はｅＮＢ４０と接続されているが、制御する対象はＭＣＥ３５となる。従って、第１実施形態とは用いるインターフェースが異なる。具体的には、第１実施形態ではＭＭＥ３０とｅＮＢ４０との間が、例えばＥＰＳで規定されるＳ１−ＭＭＥインターフェースであったが、第２実施形態では、ＭＭＥ３０とＭＣＥ３５との間はＭ３インターフェースである。なお、それ以外のノードについては第１実施形態と同一であるため説明は省略する。
【０１２８】
［２．２  処理の流れ］
続いて、本実施形態における処理の流れについて説明する。
【０１２９】
［２．２．１  ＭＭＥの処理の流れ］
図１２を用いて本実施形態におけるＭＭＥ３０の処理の流れ（動作）について説明する。第１実施形態の図７で説明したステップと同一の処理が行なわれるところは、図７と同一の番号を用いている。本実施形態では、ステップＳ２０−２、Ｓ２２−２で、セッションスタート要求メッセージをｅＮＢ４０のＭＣＥ３５に送信する点が第１の実施形態と異なっている。
【０１３０】
なお、第２実施形態においても、ステップＳ１８→Ｓ２０−２の処理でＭＭＥ３０が選択したｅＮＢ４０のＭＣＥ３５にのみセッションスタート要求メッセージが送信されるため、ＵＥ５０が在圏するセルのｅＮＢ４０のみがＩＰマルチキャスト参加処理（マルチキャストツリーに参加する処理）を行い、結果的に、必要なｅＮＢ４０のみがマルチキャスト配信経路に参加する。
【０１３１】
また、ステップＳ１６で動的サービスエリア構成識別子が含まれないことから動的サービスエリア構成を行わないことを判定した場合、ステップＳ２２−２で、通常のＭＢＭＳの処理としてＭＭＥ３０傘下の総てのｅＮＢ４０のＭＣＥ３５に、セッションスタート要求が送信される。
【０１３２】
[２．２．２  システム全体の流れ]
続いて、第２実施形態における移動通信システム全体の流れについて、図１３を用いて説明する。図１３は、本実施形態の移動通信システム全体の動作例を説明する図である。図８で説明した処理との違いは、Ｓ１２４の代わりにＳ３００で、ＭＭＥ３０は選択したｅＮＢ４０のＭＣＥ３５にセッションスタート要求を送信する点である。また、Ｓ３０２で、ＭＣＥ３５はｅＮＢ４０に対し更にセッションスタート要求を送信する。
【０１３３】
[２．２．３  システム全体の流れ（ＭＢＭＳ仕様）]
本実施形態についても、図９及び図１０で説明したＭＢＭＳ仕様での処理に適用可能である。ここで、第１実施形態との違いは、Ｓ２３６のセッションスタート要求メッセージがＲＡＮのｅＮＢ４０内のＭＣＥ３５によって受信される点、Ｓ２４４の無線リソース設定は、ＭＣＥ３５がｅＮＢ４０を制御して実行する点である。
【０１３４】
［３．第３実施形態］
続いて第３実施形態について説明する。
【０１３５】
［３．１  システム構成］
図１４は第３実施形態のシステム構成を説明する図である。本実施形態の構成では、第２実施形態の構成のｅＮＢ４０（ｅＮＢ４０ａ、ｅＮＢ４０ｂ、ｅＮＢ４０ｃ）からＭＣＥ３５が独立して構成される。このような構成とすることで、ＭＣＥ３５はｅＮＢ４０の上位ノードとして、無線リソースのコーディネーションを効率的に行うことができる。
【０１３６】
この場合、具体的にはＭＣＥ３５とｅＮＢ４０の間のインターフェースはＭ２インターフェースと呼ばれる。無線リソース設定に関するｅＮＢ４０の直接の制御主体がＭＣＥ３５となるのは第２実施形態と同様であるが、第２実施形態ではＭＣＥ３５とｅＮＢ４０とが１対１であるのに対し、本実施形態ではＭＣＥ３５とｅＮＢ４０が１対多の構成となる。そのため、ＭＭＥ３０は各ｅＮＢ４０に個々に制御メッセージを送らなくて済む。
【０１３７】
その代わり、動的サービスエリアに含めるｅＮＢ４０を直接的に制御できないため、ＭＣＥ３５を介してマルチキャスト参加処理をさせるよう制御する。従って、第１、第２実施形態とはインターフェースが異なると共に、処理ステップ、制御メッセージの内容が異なる。具体的には後述する。ＭＭＥ３０にとっては、マルチキャストのリソース設定に関するｅＮＢ４０の直接の制御主体がＭＣＥ３５となるため、ＭＣＥ３５がｅＮＢ４０を制御するためのサポート的な位置付けとなる。
【０１３８】
［３．２  処理の流れ］
続いて、本実施形態における処理の流れについて説明する。
【０１３９】
[３．２．１  ＭＭＥの処理の流れ]
図１５を用いて本実施形態におけるＭＭＥ３０の処理の流れ（動作）について説明する。第１実施形態の図７、および第２実施形態の図１２で説明したステップと同一な処理が行なわれるところは、同一の番号を付している。
【０１４０】
第２実施形態との違いとして、ステップＳ３０が追加される。これは、前述の第２実施形態では、ｅＮＢ４０を選択した時点でＭＣＥ３５も同時に特定可能であるため不要であったが、本実施形態ではｅＮＢ４０とＭＣＥ３５が機能的に別に配置されるために必要な処理であり、ＭＭＥ３０はｅＮＢ４０を選択した上で、さらにその上位ノードであるＭＣＥ３５も特定する必要がある。このため、ＭＭＥ３０には、例えば図３の記憶部３４０で管理するｅＮＢ情報３４２と併せて、当該ｅＮＢ４０を管理するＭＣＥ３５のアドレスや識別子等をさらに記憶することとなる。
【０１４１】
また、ステップＳ２０−３で、セッションスタート要求メッセージを、ｅＮＢ４０ではなく、ステップＳ３０で特定したＭＣＥ３５に送信する。このとき、ステップＳ１８で選択したｅＮＢがどのｅＮＢであるのか、ＭＣＥ３５が識別できるよう、セッションスタート要求メッセージには選択したｅＮＢ４０のアドレスや識別子のリストを含めて送信する。
【０１４２】
第３実施形態においては、ステップＳ２０−３の処理でＭＭＥ３０は特定したＭＣＥ３５に対してのみセッションスタート要求を送信するため、シグナリングトラフィックをさらに軽減させることができる。また、図示はしていないが、ＭＣＥ３５は上述のｅＮＢ４０の選択結果に基づいて、選択されたｅＮＢ４０のみをＩＰマルチキャスト参加処理（マルチキャストツリーに参加する処理）させることが可能なため、結果的に、必要なｅＮＢ４０のみが配信経路に参加し、第１、第２実施形態と同様の効果が得られる。
【０１４３】
[３．２．２  システム全体の流れ]
続いて、第３実施形態における移動通信システム全体の流れについて、図１６を用いて説明する。図１６は、本実施形態の移動通信システム全体の動作例を説明する図であり、図８、図１３の処理と同一な処理については同一番号を付与している。図８、図１３の処理との違いは、ステップＳ４００として、ＭＭＥ３０が選択したｅＮＢ４０のＭＣＥ３５をさらに特定する処理が追加される点である。
【０１４４】
また、ＭＭＥ３０はＭＣＥ３５にセッションスタート要求を送信するステップにおいて（Ｓ４０２）、選択したｅＮＢ４０のアドレスや識別子などの情報を含めて送信する。更に、ＭＣＥ３５は、ｅＮＢ４０にセッションスタート要求を送信する（Ｓ４０４）。
【０１４５】
[３．２．３  システム全体の流れ（ＭＢＭＳ仕様）]
本実施形態についても、図９及び図１０で説明したＭＢＭＳ仕様での処理に適用可能である。第１実施形態及び第２実施形態との違いは、Ｓ２３４の後に、ＭＭＥ３０においてＭＣＥ３５を特定する動作（図１６のＳ４００相当）が加わる点、Ｓ２３６で、ＭＭＥ３０は選択したｅＮＢ４０のアドレスや識別子等の情報を含めてＲＡＮにセッションスタート要求を送信する点（図１６のＳ４０２に相当）、セッションスタート要求はＲＡＮのＭＣＥ３５によって受信される点、Ｓ２４４の無線リソース設定はＭＣＥ３５がｅＮＢ４０を制御して実行する点（図１６のＳ４０４に相当）である。
【０１４６】
以上、従来のマルチキャストデータの配信先セルは、ＭＭＥ３０では選択せず、ＭＭＥ３０の下位ノードであるｅＮＢ４０（ＭＢＭＳサービスエリアに含まれるｅＮＢ）すべてに配信経路を設定していたが、上述した各実施形態によれば、ＭＭＥ３０は受信端末であるＵＥ５０の在圏セルに応じて、配信先ｅＮＢ４０をピンポイントに選択するので、選択されたｅＮＢ４０のみが配信経路に参加する。従って、余分な配信経路を設定しなくて済み、ネットワークリソース及び無線リソースの効率化につながる。
【０１４７】
同様に、従来はＭＭＥ３０の下位の総てのｅＮＢ４０にセッションスタート要求を送信する必要があったが、セッションスタート要求メッセージをすべてのｅＮＢに配信しなくて済むため、シグナリングトラフィックを少なく抑えることができる。
【０１４８】
また、本実施形態のＭＭＥ３０は、動的サービスエリアを構成するか否かを判定できるため、従来の固定的なＭＢＭＳサービスエリアを対象として配信するＭＢＭＳマルチキャストサービスの方法と共存できるように構成でき、マルチキャストサービスの特性に応じて、柔軟に好適な方法を選択することができる。
【０１４９】
［４．変形例］
以上、この発明の各実施形態について図面を参照して詳述してきたが、具体的な構成はこの実施形態に限られるものではなく、この発明の要旨を逸脱しない範囲の設計等も特許請求の範囲に含まれる。
【０１５０】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１５１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１５３】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０１５４】
また、上述した実施形態では、ＵＥ５０が在圏するセルのみを対象としてサービスエリアを限定的な範囲に動的に構成する例を説明してきたが、マルチキャストデータ配信を開始した後に、新たに別のセルに在圏するＵＥ５０がマルチキャストグループに参加したり、あるいはマルチキャストグループに参加していたＵＥが途中でマルチキャストセッションを終了し、当該セルに送信の必要がなくなったりした場合等、一旦動的に構成したサービスエリアは変化する可能性があることを考慮する必要がある。この場合、ＵＥ５０はマルチキャストグループへの参加要求又は離脱要求を在圏するセルからＭＭＥ３０に送信し、ＭＭＥ３０はその時点でＵＥ管理情報３４６の内容を更新し、動的サービスエリアの構成、配信経路を都度変更する。
【０１５５】
また、ＵＥ５０のセル間の移動も考慮しておく必要があり、ＭＭＥ３０はマルチキャストセッション中、ｅＮＢ４０にＵＥ５０の在圏を確認するようにしておくことが望ましい。ＵＥ５０の在圏を確認する手段としては、例えば、定期的にＭＭＥ３０がｅＮＢ４０に問い合わせるか、ｅＮＢ４０がＵＥ５０からの電波強度測定報告信号を受信したとき等をきっかけに、ＭＭＥ３０に通知する。
【０１５６】
このようにＭＭＥ３０がｅＮＢ４０に問い合わせたり、あるいはｅＮＢ４０がＭＭＥ３０に通知する手段をさらに設けたりすることで、ＭＭＥ３０はＵＥ５０が移動してもそれに追従して在圏セルの情報を常に最新に更新し、動的サービスエリア構成の変更に柔軟に対応することができる。
【０１５７】
なお、これまでＭＢＭＳサービスエリアの範囲内に小規模に動的サービスエリアを構成する例を説明してきたが、本発明の各実施形態によれば、固定的なＭＢＭＳサービスエリアでカバーしきれない範囲にさらに動的サービスエリアを構成したり、ＭＢＭＳサービスエリアをまたがった場所であっても、動的サービスエリアを構成することが容易である。
また、ｅＮＢ４０がマルチキャスト配信をサポートしていない場合には、ＵＥ５０とｅＮＢ４０間の無線ベアラについてのみユニキャスト送信（在圏の各ＵＥ５０に個別にデータ送信する）する方法を用いてもよい。
【０１５８】
また、ＵＥ管理情報３４６は、さらにＴＭＧＩを併せて管理できるような形態としてもよいし、ＵＥ管理情報３４６とは別に、図１７のようにＴＭＧＩ毎にＵＥの識別子とその在圏セルの識別子を対応付けたテーブルとしてもよい。また、このＵＥ管理情報３４６は、サービス中にＵＥ５０が新規に別のセルからマルチキャストグループに参加した場合や、ＵＥ５０がサービスを停止してマルチキャストグループから離脱した場合、随時更新可能である。
【符号の説明】
【０１５９】
１  移動通信システム
１０  ＢＭ−ＳＣ
１００  制御部
１１０  送受信部
１２０  サービスエリア選択部
１３０  セッション制御部
１４０  記憶部
１５０  サービスアナウンスメント機能部
１６０  マルチキャストグループメンバーシップ管理部
１７０  データ配信プロキシ部
２０  ＭＢＭＳ−ＧＷ
３０  ＭＭＥ
３００  制御部
３１０  送受信部
３２０  ＵＥ位置管理部
３３０  アタッチ／位置登録受信部
３４０  記憶部
３４２  ｅＮＢ情報
３４４  位置管理情報
３４６  ＵＥ管理情報
３５０  マルチキャスト制御信号受信部
３６０  マルチキャストベアラ設定指示送信部
３７０  動的サービスエリア構成判定部
３８０  マルチキャストＵＥ管理部
４０、４０ａ、４０ｂ、４０ｃ  ｅＮＢ
５０、５０ａ、５０ｂ、５０ｃ、５０ｄ  ＵＥ
【図１】
2011083704.tif 000003
【図２】
2011083704.tif 000004
【図３】
2011083704.tif 000005
【図４】
2011083704.tif 000006
【図５】
2011083704.tif 000007
【図６】
2011083704.tif 000008
【図７】
2011083704.tif 000009
【図８】
2011083704.tif 000010
【図９】
2011083704.tif 000011
【図１０】
2011083704.tif 000012
【図１１】
2011083704.tif 000013
【図１２】
2011083704.tif 000014
【図１３】
2011083704.tif 000015
【図１４】
2011083704.tif 000016
【図１５】
2011083704.tif 000017
【図１６】
2011083704.tif 000018
【図１７】
2011083704.tif 000019
【図１８】
2011083704.tif 000020
【国際調査報告】
2011083704.tif 000021
2011083704.tif 000022